(57)【要約】【課題】管継手上のクラスプレバーが勝手に緩んでしまうことを防ぐ管継手の接続装置を提供する。【解決手段】管継手の接続装置は、雌コネクタ１と、雄コネクタ２と、２つのロックアーム３と、２つのアンロック部材４とを備える。雌コネクタ１は、第１の端口１１及び第２の端口１２が両端にそれぞれ設けられるとともに、第１の端口１１及び第２の端口１２にそれぞれ連通した第１の貫通孔１３を有する。第１の端口１１には、第１の貫通孔１３と連通した雌コネクタ槽１４が内側に凹んで形成され、雌コネクタ槽１４の底部と第１の貫通孔１３との接続箇所には、当接壁が設けられる。雌コネクタ１の第１の端口１１近くの両側には、互いに対応したロック穿孔１７がそれぞれ形成される。各ロック穿孔１７は、雌コネクタ槽１４に連通する。【選択図】図１
0003233340.tif 000002
【実用新案登録請求の範囲】
【請求項１】
雌コネクタと、雄コネクタと、２つのロックアームと、２つのアンロック部材と、を備えた、管継手の接続装置であって、
前記雌コネクタは、第１の端口及び第２の端口が両端にそれぞれ設けられるとともに、前記第１の端口及び前記第２の端口にそれぞれ連通した第１の貫通孔を有し、前記第１の端口には、前記第１の貫通孔と連通した雌コネクタ槽が内側に凹んで形成され、前記雌コネクタ槽の底部と前記第１の貫通孔との接続箇所には、当接壁が設けられ、前記当接壁上には、シール部材が取り付けられ、前記雌コネクタの前記第１の端口近くの両側には、互いに対応したロック穿孔がそれぞれ形成され、各前記ロック穿孔は、前記雌コネクタ槽に連通し、各前記ロック穿孔は、前記第１の貫通孔と軸方向が同じで両側に外方向に突出されて形成された突片をそれぞれ有し、各前記突片の内側の前記第１の端口から離れた一端には、抵抗壁が設けられ、
前記雄コネクタは、第３の端口及び第４の端口が両端にそれぞれ設けられるとともに、前記第３の端口及び前記第４の端口にそれぞれ連通した第２の貫通孔を有し、前記雄コネクタの外側には、組合せ面が設けられ、前記組合せ面上には、凹状係合部が設けられ、前記雌コネクタ槽が前記雄コネクタ上に嵌設されると、前記第３の端口が前記シール部材上に当接されるとともに、前記第１の貫通孔が前記第２の貫通孔と連通し、
前記ロックアームの一端には凸係合端部がそれぞれ設けられ、前記凸係合端部の外側には、凸係合面が設けられ、各前記ロックアームの他端には、ハンマーヘッド端部が設けられ、前記ハンマーヘッド端部は、外側から内側にかけて順次形成された第１のハンマーヘッド面及び第２のハンマーヘッド面を有し、前記第１のハンマーヘッド面と前記第２のハンマーヘッド面との間には、複数の穿孔が形成され、各前記ロックアームは、前記凸係合面と表裏の関係にある側面上に窪み部が設けられ、各前記凸係合端部は、各前記突片間にそれぞれ枢着されるとともに、前記ハンマーヘッド端部が揺動されると、各前記突片間で前記ロックアームがロック状態又はアンロック状態となり、前記ロックアームがロック状態にあるとき、前記凸係合面が前記ロック穿孔に対応して位置し、前記ロックアームがアンロック状態にあるとき、前記凸係合面が前記ロック穿孔から離れ、
前記アンロック部材は、連続的に接続されて複数巻かれた単螺旋部を有し、各前記単螺旋部の外周は円弧状の外環面であり、各単螺旋部は、各穿孔中に挿通され、前記アンロック部材は、一端が前記ハンマーヘッド端部に結合され、他端が前記窪み部の外側に載置されるか、前記窪み部の外側から引き上げられ、前記アンロック部材の他端が前記窪み部の外側に載置されると、前記外環面は、各前記単螺旋部の付勢力により支えられて前記抵抗壁にそれぞれ当接されることを特徴とする、
管継手の接続装置。
【請求項２】
前記凸係合端部の外側には、カット面が設けられ、前記凸係合面及び前記カット面は、前記凸係合端部の両面にそれぞれ位置することを特徴とする請求項１に記載の管継手の接続装置。
【請求項３】
各前記突片上の同一の水平位置には、ピン孔が形成され、各前記ロックアーム上には、ピン槽がそれぞれ形成され、前記ピン槽は、カット面に近い箇所又は隣り合う箇所に形成され、ロック状態では前記ピン槽が各前記ピン孔と同じ水平位置に位置し、その際、固定部材を各前記ピン孔及び前記ピン槽に挿通させて各前記ロックアームが固定されることを特徴とする請求項１に記載の管継手の接続装置。
【考案の詳細な説明】
【技術分野】
【０００１】
本考案は、管継手の接続装置に関し、特に、接続装置により２つの管路を接続するとともに、雌コネクタと、雄コネクタと、雌コネクタに互いに対称に取付けられたロックアーム及びアンロック部材と、を含み、雌コネクタ及び雄コネクタが各ロックアームによりロック状態にし、アンロック部材により第２ロックを提供してロック状態が簡単に解除されないようにする、管継手の接続装置に関する。
【背景技術】
【０００２】
従来技術のカムロック管継手は、管路を接続するために用い、雄と雌との継手により構成され、雌継手上には、カムを有するロック部材が設けられ、雄・雌継手が互いに接続された後、ロック部材によりカムを牽引し、雌継手と、内部のロックが有する凹溝の雄継手とにより接続する。
【０００３】
管路中を液体が長時間輸送され、液体の輸送過程で管路に振動が発生すると、長時間の振動によりロック部材が損壊するか外れ、その内部に大きな圧力が発生すると、単一ロック構造ではその圧力に確実に耐えることができずにロック部材が損壊するか外れてしまい、雄・雌継手が分解又は断裂してしまうことがあった。
【０００４】
また、ヒューマンエラーによりロック部材を誤って揺動させてしまうと、ロック効果が低下してその圧力を支える力が不足し、雄・雌継手が分解又は断裂してしまうことがあった。
【０００５】
こうした現状に鑑み、本考案者は鋭意研究を重ね、改良を行った結果、ロック部材にアンロック部材を別途設け、アンロック部材により雄・雌継手がロックされた状態下で第２の固定機能が得られるとともに、アンロック部材が特定の角度及び方向でしか解除できないため、ロック部材でロックする際の安定性及び安全性を高めることができる本考案の管継手の接続装置を完成したものである。
【考案の概要】
【考案が解決しようとする課題】
【０００６】
本考案の課題は、雌コネクタ及び雄コネクタが各ロックアームによりロック状態にし、アンロック部材により第２ロックを提供してロック状態が簡単に解除されないようにする、管継手の接続装置を提供することにある。
【課題を解決するための手段】
【０００７】
上記課題を解決するために、本考案の第１の形態によれば、雌コネクタと、雄コネクタと、２つのロックアームと、２つのアンロック部材と、を備えた、管継手の接続装置であって、前記雌コネクタは、第１の端口及び第２の端口が両端にそれぞれ設けられるとともに、前記第１の端口及び前記第２の端口にそれぞれ連通した第１の貫通孔を有し、前記第１の端口には、前記第１の貫通孔と連通した雌コネクタ槽が内側に凹んで形成され、前記雌コネクタ槽の底部と前記第１の貫通孔との接続箇所には、当接壁が設けられ、前記当接壁上には、シール部材が取り付けられ、前記雌コネクタの前記第１の端口近くの両側には、互いに対応したロック穿孔がそれぞれ形成され、各前記ロック穿孔は、前記雌コネクタ槽に連通し、各前記ロック穿孔は、前記第１の貫通孔と軸方向が同じで両側に外方向に突出されて形成された突片をそれぞれ有し、各前記突片の内側の前記第１の端口から離れた一端には、抵抗壁が設けられ、前記雄コネクタは、第３の端口及び第４の端口が両端にそれぞれ設けられるとともに、前記第３の端口及び前記第４の端口にそれぞれ連通した第２の貫通孔を有し、前記雄コネクタの外側には、組合せ面が設けられ、前記組合せ面上には、凹状係合部が設けられ、前記雌コネクタ槽が前記雄コネクタ上に嵌設されると、前記第３の端口が前記シール部材上に当接されるとともに、前記第１の貫通孔が前記第２の貫通孔と連通し、前記ロックアームの一端には凸係合端部がそれぞれ設けられ、前記凸係合端部の外側には、凸係合面が設けられ、各前記ロックアームの他端には、ハンマーヘッド端部が設けられ、前記ハンマーヘッド端部は、外側から内側にかけて順次形成された第１のハンマーヘッド面及び第２のハンマーヘッド面を有し、前記第１のハンマーヘッド面と前記第２のハンマーヘッド面との間には、複数の穿孔が形成され、各前記ロックアームは、前記凸係合面と表裏の関係にある側面上に窪み部が設けられ、各前記凸係合端部は、各前記突片間にそれぞれ枢着されるとともに、前記ハンマーヘッド端部が揺動されると、各前記突片間で前記ロックアームがロック状態又はアンロック状態となり、前記ロックアームがロック状態にあるとき、前記凸係合面が前記ロック穿孔に対応して位置し、前記ロックアームがアンロック状態にあるとき、前記凸係合面が前記ロック穿孔から離れ、前記アンロック部材は、連続的に接続されて複数巻かれた単螺旋部を有し、各前記単螺旋部の外周は円弧状の外環面であり、各単螺旋部は、各穿孔中に挿通され、前記アンロック部材は、一端が前記ハンマーヘッド端部に結合され、他端が前記窪み部の外側に載置されるか、前記窪み部の外側から引き上げられ、前記アンロック部材の他端が前記窪み部の外側に載置されると、前記外環面は、各前記単螺旋部の付勢力により支えられて前記抵抗壁にそれぞれ当接されることを特徴とする、管継手の接続装置が提供される。
【０００８】
前記凸係合端部の外側には、カット面が設けられ、前記凸係合面及び前記カット面は、前記凸係合端部の両面にそれぞれ位置することが好ましい。
【０００９】
各前記突片上の同一の水平位置には、ピン孔が形成され、各前記ロックアーム上には、ピン槽がそれぞれ形成され、前記ピン槽は、カット面に近い箇所又は隣り合う箇所に形成され、ロック状態では前記ピン槽が各前記ピン孔と同じ水平位置に位置し、その際、固定部材を各前記ピン孔及び前記ピン槽に挿通させて各前記ロックアームが固定されることが好ましい。
【考案の効果】
【００１０】
本考案の管継手の接続装置は、雌コネクタ及び雄コネクタが各ロックアームによりロック状態にし、アンロック部材により第２ロックを提供してロック状態が簡単に解除されないようにする。
【図面の簡単な説明】
【００１１】
【図１】本考案の一実施形態に係る管継手の接続装置を示す分解斜視図である。
【図２】本考案の一実施形態に係る管継手の接続装置の一部を示す分解斜視図である。
【図３】本考案の一実施形態に係る管継手の接続装置の一部を示す断面図である。
【図４】本考案の一実施形態に係る管継手の接続装置の一部を示す断面図である。
【図５】本考案の一実施形態に係る管継手の接続装置を示す側面図である。
【図６】本考案の一実施形態に係る管継手の接続装置を示す斜視図である。
【図７】本考案の一実施形態に係る管継手の接続装置をロックするときの状態を示す断面図である。
【図８】本考案の一実施形態に係る管継手の接続装置がロックされ、第２ロックを構成した状態を示す断面図である。
【図９】本考案の一実施形態に係る管継手の接続装置がアンロックされた状態を示す断面図である。
【図１０】本考案の一実施形態に係る管継手の接続装置の一部構造を示す分解斜視図である。
【考案を実施するための形態】
【００１２】
本考案の他の技術内容、特徴及び効果について、以下、図面を参照しながら好適な実施形態の詳細な説明で明らかにする。
【００１３】
図１及び図２を参照する。
図１は、本考案の一実施形態に係る管継手の接続装置を示す分解斜視図である。図２は、本考案の一実施形態に係る管継手の接続装置の一部を示す分解斜視図である。図１及び図２に示すように、本考案の一実施形態に係る管継手の接続装置は、少なくとも雌コネクタ１と、雄コネクタ２と、互いに対称となるように雌コネクタ１に取付けられたロックアーム３及びアンロック部材４と、を含む。
【００１４】
図１〜図３を参照する。
図１〜図３に示すように、雌コネクタ１は、管状体であるとともに、第１の端口１１及び第２の端口１２が両端にそれぞれ設けられる。雌コネクタ１内には、第１の端口１１及び第２の端口１２にそれぞれ連通した第１の貫通孔１３が形成され、第１の端口１１には、第１の貫通孔１３と連通した雌コネクタ槽１４が内側に凹んで形成され、雌コネクタ槽１４の底部と第１の貫通孔１３との接続箇所には、当接壁１５が設けられる。当接壁１５上には、シール部材１６が取り付けられる。雌コネクタ槽１４には、雄コネクタ２が嵌設される。
【００１５】
図１〜図３を参照する。
図１〜図３に示すように、雄コネクタ２は、雌コネクタ１に対応した形状の管状体であるとともに、第３の端口２１及び第４の端口２２が両端にそれぞれ設けられ、第３の端口２１及び第４の端口２２にそれぞれ連通した第２の貫通孔２３を有する。雄コネクタ２の外側には、組合せ面２４が設けられる。組合せ面２４上には、凹状係合部２５が設けられる。
【００１６】
図１〜図３を参照する。
図１〜図３に示すように、雌コネクタ槽１４が雄コネクタ２上に嵌設されると、組合せ面２４が雌コネクタ槽１４の内壁に当接され、第３の端口２１がシール部材１６上に当接されるとともに、第１の貫通孔１３が第２の貫通孔２３と連通する。第２の端口１２及び第４の端口２２は、２本の外部の管路にそれぞれ接続される。
【００１７】
図１、図２及び図４を参照する。
図１、図２及び図４に示すように、雌コネクタ１の第１の端口１１近くの両側には、互いに対応したロック穿孔１７がそれぞれ形成される。各ロック穿孔１７は、雌コネクタ槽１４に連通する。各ロック穿孔１７は、第１の貫通孔１３と軸方向が同じで両側に外方向に突出されて形成された突片１８をそれぞれ有する。各突片１８の内側の第１の端口１１から離れた一端には、互いに対称の抵抗壁１９が設けられる。
【００１８】
図１、図２及び図４を参照する。
図１、図２及び図４に示すように、各ロックアーム３の一端には凸係合端部３１がそれぞれ設けられる。凸係合端部３１の外側には、凸係合面３２及びカット面３３がそれぞれ設けられる。凸係合面３２及びカット面３３は、凸係合端部３１の両面にそれぞれ位置する。各ロックアーム３の他端には、ハンマーヘッド端部３４が設けられる。ハンマーヘッド端部３４は、外側から内側にかけて順次形成された第１のハンマーヘッド面３４１及び第２のハンマーヘッド面３４２を有する。第１のハンマーヘッド面３４１と第２のハンマーヘッド面３４２との間には、複数の穿孔３５が形成される。各ロックアーム３は、凸係合面３２と表裏の関係にある側面上に窪み部３６が設けられる。
【００１９】
図１、図２及び図４を参照する。
図１、図２及び図４に示すように、各凸係合端部３１は、各突片１８間にそれぞれ枢着されるとともに、ハンマーヘッド端部３４が揺動されると、各突片１８間でロックアーム３がロック状態又はアンロック状態となる。ロックアーム３がロック状態にあるとき、凸係合面３２がロック穿孔１７に対応して位置する。ロックアーム３がアンロック状態にあるとき、凸係合面３２は、ロック穿孔１７から離れる。
【００２０】
図１、図２及び図４を参照する。
図１、図２及び図４に示すように、アンロック部材４は、硬質材料からなり、連続的に接続されて複数巻かれた単螺旋部４１を有する。各単螺旋部４１の外周は円弧状の外環面４２であり、螺旋状に巻かれた各単螺旋部４１は、蓄勢により外方に付勢力を発生させる。
【００２１】
図１、図２、図４〜図６を参照する。
図１、図２、図４〜図６に示すように、各単螺旋部４１は、各穿孔３５中に挿通される。また、アンロック部材４は、一端がハンマーヘッド端部３４に結合され、他端が窪み部３６の外側に載置されるか、窪み部３６の外側から引き上げられる。アンロック部材４の他端が窪み部３６の外側に載置されると、外環面４２は、各単螺旋部４１の付勢力により支えられて抵抗壁１９にそれぞれ当接される。各抵抗壁１９の表面形状は、外環面４２に対応した形状であるため、外環面４２が各抵抗壁１９に当接されると、完全に密着される。
【００２２】
本考案の管継手の接続装置について、各部材構造及びそれを組み合わせた後に各種効果及び使用用途について以下説明する。各ロックアーム３及び各アンロック部材４は互いに対称となるように設けられているが、以下では分かり易いように単側のみを用いて説明する。
【００２３】
図７を参照する。
図７に示すように、本考案の一実施形態に係る管継手の接続装置をロック状態にする場合、雌コネクタ槽１４を雄コネクタ２上に嵌設させてから、ハンマーヘッド端部３４を第１の端口１１から離れた方向に揺動させると、凸係合面３２がロック穿孔１７内に回し入れられて凹状係合部２５内に係入し、ロック状態下の雄コネクタ２が第２の貫通孔２３の軸方向で移動しなくなり、シール部材１６により第１の貫通孔１３と第２の貫通孔２３との間の継ぎ目から液体が漏れ出ることを防いで液体の流れをスムーズにさせる。
【００２４】
図５及び図８を参照する。
図５及び図８に示すように、ロック状態下でアンロック部材４が窪み部３６の外側に載置されると、アンロック部材４は、一端がハンマーヘッド端部３４に結合され、他端が付勢力により外環面４２が抵抗壁１９上に当接されているため、ハンマーヘッド端部３４を第１の端口１１に向けて揺動させてロック状態を解除しようとしても、アンロック部材４がハンマーヘッド端部３４と抵抗壁１９との間に係止され、付勢力により押す力に対向する抵抗力が形成されるため、ロックアーム３が簡単に開けられず、第２ロックが構成されている。
【００２５】
図７及び図８を参照する。
図７及び図８に示すように、窪み部３６は、指の前端を伸ばし入れるために用いられ、アンロック部材４を容易に引っ掛け起こすか引っ張り起こして各抵抗壁１９を外して第２ロックを解除することができる。
【００２６】
図８及び図９を参照する。
図８及び図９に示すように、アンロック状態にする場合、第２ロックを解除する際に、ハンマーヘッド端部３４を第１の端口１１に向けて揺動させると、凸係合面３２が回転して凹状係合部２５及びロック穿孔１７から出て、カット面３３がロック穿孔１７に進入し、雄コネクタ２が第２の貫通孔２３の軸方向で移動可能となり、容易に雌コネクタ槽１４から挿抜させることができる。
【００２７】
図１０を参照する。
図１０に示すように、本考案の一実施形態に係る管継手の接続装置の各突片１８上の同一の水平位置には、ピン孔１８１が形成され、各ロックアーム３上には、ピン槽３７がそれぞれ形成されている。ピン槽３７は、カット面３３に近い箇所又は隣り合う箇所に形成され、ロック状態ではピン槽３７が各ピン孔１８１と同じ水平位置に位置し、その際、固定部材５を各ピン孔１８１及びピン槽３７に挿通させると各ロックアーム３が固定される。そのため、各ロックアーム３と各突片１８との間の枢着位置で断裂又は損壊が発生しても、各ロックアーム３が外れることを防ぐことができる。
【００２８】
図２を参照する。
図２に示すように、本考案の一実施形態に係る管継手の接続装置は、ハンマーヘッド端部３４の第１のハンマーヘッド面３４１及び第２のハンマーヘッド面３４２の接触面積を大きくして滑り止め効果を高め、各ロックアーム３をより容易に揺動させることができるようにしてもよい。
【００２９】
図３を参照する。
図３に示すように、本考案の一実施形態に係る管継手の接続装置において、シール部材１６は、様々なタイプの防水パッキンでもよい。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１  雌コネクタ
２  雄コネクタ
３  ロックアーム
４  アンロック部材
５  固定部材
１１  第１の端口
１２  第２の端口
１３  第１の貫通孔
１４  雌コネクタ槽
１５  当接壁
１６  シール部材
１７  ロック穿孔
１８  突片
１９  抵抗壁
２１  第３の端口
２２  第４の端口
２３  第２の貫通孔
２４  組合せ面
２５  凹状係合部
３１  凸係合端部
３２  凸係合面
３３  カット面
３４  ハンマーヘッド端部
３５  穿孔
３６  窪み部
３７  ピン槽
４１  単螺旋部
４２  外環面
１８１  ピン孔
３４１  第１のハンマーヘッド面
３４２  第２のハンマーヘッド面
【図１】
0003233340.tif 000003
【図２】
0003233340.tif 000004
【図３】
0003233340.tif 000005
【図４】
0003233340.tif 000006
【図５】
0003233340.tif 000007
【図６】
0003233340.tif 000008
【図７】
0003233340.tif 000009
【図８】
0003233340.tif 000010
【図９】
0003233340.tif 000011
【図１０】
0003233340.tif 000012